(57)【要約】      （修正有）【課題】警察などによって連行されている者の眼部に装着させることによって、周囲を認知しづらくさせることが可能であり、かつ眼部を傷付ける恐れのない眼部装着器具を提供する。【解決手段】眼部装着器具１００は、眼部に装着させる装着部１０と、装着部に取り付けられるとともに、眼部の前方に配置され、基材に複数のレンズが張り付けられ、装着しない状態において視界に形成される像を、装着した状態においては複数形成した状態に変化させることによって視界に形成される像を変化させて、視覚による認知を阻害する視覚阻害部２０と、装着部に取り付けられ、視覚阻害部を保護する保護部３０と、を有することを特徴とする。【選択図】図１
0003196729.tif 000002
【実用新案登録請求の範囲】
【請求項１】
眼部に装着させる装着部と、
前記装着部に取り付けられるとともに、前記眼部の前方に配置され、視界に形成される像を変化させて、視覚による認知を阻害する視覚阻害部と、
前記装着部に取り付けられ、前記眼部を保護する保護部と、を有する、眼部装着器具。
【請求項２】
前記視覚阻害部は、装着しない状態において視界に形成される像を、装着した状態においては複数形成した状態に変化させることによって、視覚による認知を阻害する請求項１に記載の眼部装着器具。
【請求項３】
前記視覚阻害部に光を散乱する機能を付与することによって、視界に形成される前記像を不鮮明し、視覚による認知を阻害する、請求項１または２に記載の眼部装着器具。
【請求項４】
前記視覚阻害部および前記保護部が、透明材料から成る、請求項１〜３のいずれか１項に記載の眼部装着器具。
【請求項５】
前記保護部は、装着者を基準として前記視覚阻害部よりも遠位側において前記装着部に取り付けられる、請求項１〜４のいずれか１項に記載の眼部装着器具。
【考案の詳細な説明】
【技術分野】
【０００１】
本考案は、眼部装着器具に関する。
【背景技術】
【０００２】
警察などが被疑者を連行する場合は、被疑者が逃走することがないように、護送ベルトなどの両手を拘束する拘束具が用いられる（特許文献１参照）。
【先行技術文献】
【特許文献】
【０００３】
【特許文献１】特開２００６−１５３４００号公報
【考案の概要】
【考案が解決しようとする課題】
【０００４】
しかし、被疑者を連行する場合は、被疑者を容易に連行できるように被疑者の足は拘束しないため、被疑者は周囲を確認して隙があれば逃走してしまう恐れがある。そのため、被疑者の逃走を防止するためには、被疑者が周囲を認知しづらくすることが望ましい。同時に、被疑者の身体を傷付けるような事態は防がなければならず、被疑者の身体を傷付けない方法によって、連行中の被疑者の逃走を防止する必要がある。
【０００５】
本考案は、上述した課題を解決するためになされたものであり、警察などによって連行されている者の眼部に装着させることによって、周囲を認知しづらくさせることが可能であり、かつ眼部を傷付ける恐れのない眼部装着器具を提供することを目的とする。
【課題を解決するための手段】
【０００６】
上記目的を達成する本考案に係る眼部装着器具は、眼部に装着させる装着部と、前記装着部に取り付けられるとともに、前記眼部の前方に配置され、視界に形成される像を変化させて、視覚による認知を阻害する視覚阻害部と、前記装着部に取り付けられ、前記眼部を保護する保護部と、を有することを特徴とする。
【考案の効果】
【０００７】
本考案に係る眼部装着器具によれば、視覚阻害部によって、装着者の視覚による認知を阻害するため、逃走などの防止に寄与することができる。加えて、本考案に係る眼部装着器具は、保護部によって、装着者の眼部を保護するため、眼部における装着者の負傷を防ぐことができる。
【図面の簡単な説明】
【０００８】
【図１】図１（Ａ）は、本考案に係る実施形態１の眼部装着器具を示す斜視図であり、図１（Ｂ）は、同眼部装着器具を顔面に装着した状態を示す斜視図である。
【図２】図２（Ａ）は、同眼部装着器具を示す正面図であり、図２（Ｂ）は、同眼部装着器具を顔面に装着した状態を示す正面図である。
【図３】図３（Ａ）は、同眼部装着器具を示す側面図であり、図３（Ｂ）は、同眼部装着器具を顔面に装着した状態を示す側面図である。
【図４】図４は、同眼部装着器具を構成する視覚阻害部を示す正面図である。
【図５】図５（Ａ）は、図２（Ａ）の５Ａ−５Ａ線に沿う断面図であり、図５（Ｂ）は図５（Ａ）のＢ部分の拡大図である。
【図６】図６（Ａ）は、同眼部装着器具を装着していない状態で視認される像を示す図であり、図６（Ｂ）は、同眼部装着器具を装着した状態で視認される像を示す図である。
【図７】図７は、本考案の実施形態１の変形例に係る眼部装着器具を示す正面図である。
【図８】図８は、同眼部装着器具を装着した状態で視認される像を示す図である。
【図９】図９（Ａ）は、本考案に係る実施形態２の眼部装着器具を示す斜視図であり、図９（Ｂ）は、同眼部装着器具を顔面に装着した状態を示す斜視図である。
【図１０】図１０（Ａ）は、同眼部装着器具を示す正面図であり、図１０（Ｂ）は、同眼部装着器具を顔面に装着した状態を示す正面図である。
【図１１】図１１（Ａ）は、同眼部装着器具を示す側面図であり、図１１（Ｂ）は、同眼部装着器具を顔面に装着した状態を示す側面図である。
【図１２】図１２は、同眼部装着器具を構成する視覚阻害部を示す正面図である。
【考案を実施するための形態】
【０００９】
以下、添付した図面を参照しながら、本考案の実施形態を説明する。なお、以下の記載は実用新案登録請求の範囲に記載される技術的範囲や用語の意義を限定するものではない。また、図面の寸法比率は説明の都合上誇張されており、実際の比率とは異なる場合がある。
【００１０】
（実施形態１）
図１（Ａ）は、本考案に係る実施形態１の眼部装着器具を示す斜視図であり、図１（Ｂ）は、同眼部装着器具を顔面に装着した状態を示す斜視図である。図２（Ａ）は、同眼部装着器具を示す正面図であり、図２（Ｂ）は、同眼部装着器具を顔面に装着した状態を示す正面図である。図３（Ａ）は、同眼部装着器具を示す側面図であり、図３（Ｂ）は、同眼部装着器具を顔面に装着した状態を示す側面図である。
【００１１】
図４は、同眼部装着器具を構成する視覚阻害部を示す正面図である。図５（Ａ）は、図２（Ａ）の５Ａ−５Ａ線に沿う断面図であり、図５（Ｂ）は図５（Ａ）のＢ部分の拡大図である。図６（Ａ）は、同眼部装着器具を装着していない状態で視認される像を示す図であり、図６（Ｂ）は、同眼部装着器具を装着した状態で視認される像を示す図である。
【００１２】
実施形態１に係る眼部装着器具１００は、一例を挙げれば警察が被疑者を連行したり、有事の際などに自らの管理下におく必要のある者を連行したりする場合に利用される逃走防止のためのゴーグルタイプの眼部装着器具である。眼部装着器具１００は、図１（Ａ）に示すように、装着部１０と、視覚阻害部２０と、保護部３０と、を有する。
【００１３】
装着部１０は、図１（Ｂ）に示すように眼部装着器具１００を眼部Ｅに装着させるための部位である。装着部１０は、図２（Ａ）に示すように、フレーム１１と、連結部１２と、バンド１３と、接触部１４とを有する。
【００１４】
フレーム１１は窪み部１５を備え、視覚阻害部２０および保護部３０の外周を覆って固定する。フレーム１１は、略矩形状であり、窪み部１５は、図２（Ｂ）に示すように、装着者の鼻を圧迫しないようにフレーム１１および接触部１４の下部の略中央を切り欠いて形成される。連結部１２は、フレーム１１の両端に取付けられ、バンド１３を通して固定するために穴を設けているが、バンド１３を接続できれば、接続するための手段は穴に限定されない。バンド１３は、帯形状を有し、両端が連結部１２の穴を通って固定される。図１（Ｂ）に示すように、眼部装着器具１００を装着する場合は、フレーム１１の接触部１４を顔面に当て、バンド１３を装着者の後頭部に回して固定する。そのため、バンド１３は、装着者の頭部の形状に適合しやすいように、ゴムなどの弾性材料からなることが好ましい。
【００１５】
接触部１４は、フレーム１１の外周に沿って装着者側に形成されるが、あくまで一例であり、全周に亘って形成されている必要はない。接触部１４は、眼部装着器具１００が装着された場合に、装着者の顔に接触する。そのため、装着者が圧迫感を感じないように、ポリウレタンなどのクッション性を有する材料から成ることが好ましい。
【００１６】
視覚阻害部２０は、装着部１０に取り付けられるとともに、眼部装着器具１００が装着された場合は、装着者の眼部Ｅの前方に配置され、装着者の視界に形成される像を変化させて、視覚による認知を阻害する。視覚阻害部２０は、図４に示すように、基材２１と、複数のレンズ２２と、を有する。
【００１７】
基材２１には、複数のレンズ２２が張り付けられる。基材２１は、装着部１０のフレーム１１の内側に固定されるため、フレーム１１の形状と同様に略矩形状である。基材２１は、装着者が周囲をある程度視認できるように透明であることが望ましいが、これに限定されない。本実施形態では、例として、基材２１はポリカーボネート製であるとする。各レンズ２２は、略矩形状であって、基材２１の上に互いに隣接して並べられ、個別に像を形成する。
【００１８】
なお、上記では、基材２１に複数のレンズ２２を隣接して並べる構成としたが、これに限定されない。例えば視覚阻害部２０が基材２１およびレンズ２２を有さず、視覚阻害部２０そのものが複数のレンズを連結した構成であって、眼部装着器具１００を装着した場合に複数の像が形成されるように変化させることも可能である。
【００１９】
眼部装着器具１００を装着すると、装着者の視界に形成される像は、複数のレンズ２２によって図６（Ｂ）のようになる。眼部装着器具１００を装着しない状態において形成される像である図６（Ａ）と比べると、視覚阻害部２０によって複数の像が形成されるため、装着者は周囲との距離感などを把握できなくなるなど、装着者の視覚による認知を阻害することが可能となる。
【００２０】
保護部３０は、装着部１０に取り付けられ、眼部Ｅを保護する。図５に示すように、保護部３０は、装着者を基準として視覚阻害部２０よりも遠位側に位置し、フレーム１１とともに視覚阻害部２０から離間して視覚阻害部２０を覆う。保護部３０は、装着者が周囲をある程度視認できるように透明であることが好ましいが、これに限定されない。保護部３０の材料は、視覚阻害部２０を保護できるように比較的強度の高い材料、例えば強化ポリカーボネートなどを用いることが好ましい。また、保護部３０は視覚阻害部２０と離間して配置されているため、この隙間が断熱層として機能し、視覚阻害部２０の曇りを防止することも可能となる。
【００２１】
（作用効果）
次に実施形態１に係る眼部装着器具１００の作用効果について説明する。眼部装着器具１００は、眼部Ｅに装着させる装着部１０と、装着部１０に取り付けられるとともに、眼部Ｅの前方に配置され、視界に形成される像を変化させて、視覚による認知を阻害する視覚阻害部２０と、装着部１０に取り付けられ、眼部Ｅを保護する保護部３０と、を有することを特徴とする。
【００２２】
このような構成を有する眼部装着器具１００によれば、視覚阻害部２０によって、装着者の視覚による認知を阻害し、逃走などの防止に寄与することができる。加えて、眼部装着器具１００は、保護部３０によって、視覚阻害部２０が破損することを防げるため、視覚阻害部２０内側の装着者の眼部Ｅを保護し、眼部Ｅにおける装着者の負傷を防ぐことができる。
【００２３】
また、視覚阻害部２０は、装着しない状態において視界に形成される像を、装着した状態においては複数形成した状態に変化させることによって、視覚による認知を阻害する。そのため、装着者は周囲との距離感などを把握できなくなるなど、装着者の視覚による認知を阻害し、装着者の逃走を防止などすることが可能となる。
【００２４】
また、視覚阻害部２０および保護部３０は、透明材料から成る。そのため、装着者の視界を一定程度確保することで、装着者を連行しやすくすることが可能となる。
【００２５】
また、保護部３０は、装着時に視覚阻害部２０よりも遠位側において装着部１０に取り付けられる。そのため、視覚阻害部２０の内側にある装着者の眼部が、眼部装着器具の破損などで負傷することを防止することができる。
【００２６】
（実施形態１の変形例）
図７は、本考案の実施形態１の変形例に係る眼部装着器具を示す正面図である。図８は、同眼部装着器具を装着した状態で視認される像を示す図である。なお、実施形態１と同じ構成に関しては同じ符号を付して、その説明を省略する。
【００２７】
実施形態１の変形例に係る眼部装着器具１００ａは、実施形態１に係る眼部装着器具１００と、視覚阻害部２０の構成において異なる。実施形態１では、図４に示すように、視覚阻害部２０が基材２１および複数のレンズ２２を有する構成としたが、実施形態１の変形例に係る視覚阻害部２０ａは、１枚のレンズから構成され、さらにそのレンズの表面を粗くすることによって光散乱性を付与する。しかし、それ以外にも視覚阻害部２０ａのレンズは、例えばくもりガラスなどの部材によって構成してもよいし、コーティングによって光散乱性を付与する構成としてもよい。
【００２８】
（作用効果）
次に実施形態１の変形例の作用効果について説明する。視覚阻害部２０ａは光を散乱する機能を有し、装着した際に形成される像を不鮮明し、視覚による認知を阻害する。具体的には、視覚阻害部２０ａによって、眼部装着器具１００ａを装着した際に、装着者の視界に形成される像は、図８のようになる。眼部装着器具１００ａを装着しない状態において形成される像である図６（Ａ）と比べると、視覚阻害部２０ａによって形成される像は不鮮明になる。そのため、装着した状態で形成される像は、くもりガラスなどの構成によって不鮮明になり、これによって、装着者は周囲を正確に把握できなくなるなど、装着者の視覚による認知を阻害することが可能となる。
【００２９】
なお、実施形態１およびその変形例を組み合わせ、視覚阻害部に散乱機能を付与しつつ、視覚阻害部が基材および複数のレンズを有するように構成することも可能である。このように構成することによって、視覚阻害部によって、像を複数形成されるようにし、かつ各々の像を不鮮明にすることも可能となる。これによって、装着者の視覚による認知をさらに阻害することが可能となる。
【００３０】
（実施形態２）
図９（Ａ）は、本考案に係る実施形態２の眼部装着器具を示す斜視図であり、図９（Ｂ）は、同眼部装着器具を顔面に装着した状態を示す斜視図である。図１０（Ａ）は、同眼部装着器具を示す正面図であり、図１０（Ｂ）は、同眼部装着器具を顔面に装着した状態を示す正面図である。図１１（Ａ）は、同眼部装着器具を示す側面図であり、図１１（Ｂ）は、同眼部装着器具を顔面に装着した状態を示す側面図である。図１２は、同眼部装着器具を構成する視覚阻害部を示す正面図である。
【００３１】
実施形態２に係る眼部装着器具１００ｂは、眼鏡タイプの眼部装着器具である。図９（Ａ）に示すように、眼部装着器具１００ｂは、装着部１０ｂと、視覚阻害部２０ｂおよび視覚阻害部２０ｃと、保護部３０ｂおよび保護部３０ｃと、を有する。
【００３２】
装着部１０ｂは、眼部装着器具１００ｂを眼部Ｅに装着する。図９（Ａ）に示すように装着部１０ｂは、フレーム１１ｂと、テンプル１６と、を有する。
【００３３】
フレーム１１ｂは、貫通穴Ｘと、貫通穴Ｙと、窪み部１５ｂと、を有する。貫通穴Ｘは、眼部Ｅにおける装着者にとっての右目側に視覚阻害部２０ｂおよび保護部３０ｂを、嵌合などによって取り付けるための部位である。貫通穴Ｙは、眼部Ｅにおける装着者にとっての左目側に視覚阻害部２０ｃおよび保護部３０ｃを、嵌合などによって取り付けるための部位である。このように実施形態２では実施形態１のフレーム１１のように右目側の部位と左目側の部位を一体として構成せずに別々に構成している。
【００３４】
窪み部１５ｂは、図９（Ｂ）に示すように、装着者の鼻を圧迫しないようにフレーム１１ｂ下部の略中央を切り欠いて形成される。テンプル１６は、フレーム１１ｂの両脇から装着者の耳に向かって伸びており、伸びた先は装着者の耳にひっかかるように曲げられて形成されている。テンプル１６は装着者の耳に固定することができればよく、この形状に限定されない。
【００３５】
視覚阻害部２０ｂおよび視覚阻害部２０ｃは、それぞれ装着部１０ｂの貫通穴Ｘおよび貫通穴Ｙに取り付けられるとともに、眼部装着器具１００ｂが装着された際に、装着者の眼部Ｅの前方に配置され、装着者の視界に形成される像を変化させて、視覚による認知を阻害する。視覚阻害部２０ｂおよび視覚阻害部２０ｃは、実施形態１と同様に図５に示すように、基材２１ｂおよび基材２１ｃと、複数のレンズ２２ｂと、を有する。
【００３６】
基材２１ｂおよび基材２１ｃには、各々複数のレンズ２２ｂが張り付けられる。基材２１ｂは、フレーム１１ｂの貫通穴Ｘに取付けられ、張付部材基材２１ｃは、フレーム１１ｂの貫通穴Ｙに取付けられる。基材２１ｂおよび基材２１ｃは、装着者が周囲をある程度視認できるように透明であることが望ましいが、これに限定されない。本実施形態では、例として、基材２１ｂおよび基材２１ｃはポリカーボネート製であるとする。レンズ２２ｂは、略矩形状であって、基材２１ｂおよび基材２１ｃに隣接して並べられ、それぞれのレンズ２２ｂが個別に像を形成するようになっている。
【００３７】
上記では、基材２１ｂおよび基材２１ｃに複数のレンズ２２ｂを隣接して並べることによって、装着しない状態において視界に形成される像を、装着した状態においては複数形成するように構成しているが、これに限定されず、例えば視覚阻害部２０ｂおよび視覚阻害部２０ｃを複数のレンズを連結した構成としてもよい。
【００３８】
実施形態２では、視覚阻害部２０ｂおよび視覚阻害部２０ｃが、上記のように各々貫通穴Ｘおよび貫通穴Ｙを有するフレーム１１ｂに取付けられる構成である。このように構成することによって、実施形態１と同様に、視覚阻害部２０ｂおよび視覚阻害部２０ｃによって複数の像が形成されるため、装着者は周囲との距離感を把握できなくなるなど、上記と同様に装着者の視覚による認知を阻害することが可能となる。
【００３９】
また、保護部３０ｂおよび保護部３０ｃは、各々装着部１０ｂの貫通穴Ｘおよび貫通穴Ｙに取り付けられ、眼部Ｅを保護する。実施形態１と同様に、保護部３０ｂおよび保護部３０ｃは、各々対応する視覚阻害部２０ｂおよび視覚阻害部２０ｃよりも遠位側に位置し、フレーム１１ｂとともに対応する視覚阻害部２０ｂと離間して覆う。
【００４０】
このように構成することによって、実施形態１と同様に、視覚阻害部２０ｂおよび視覚阻害部２０ｃの内側にある装着者の眼部が、眼部装着器具の破損などで負傷することを防止することができる。
【００４１】
なお、本考案は上記実施形態に限定されず、実用新案登録請求の範囲において種々の変更が可能である。
【００４２】
視覚阻害部は、実施形態１および実施形態２では複数の像が形成されるようにすることによって、実施形態１の変形例では形成される像を不鮮明にすることによって、視覚による認知を阻害することとした。しかしこれに限定されず、例えば、視覚阻害部として歪曲収差の大きいレンズを用いることによって、形成される像を歪ませることなども可能である。また、複数の視覚阻害手段を組み合わせることも可能である。
【００４３】
実施形態１、２および実施形態１の変形例では、保護部は視覚阻害部とは別体として視覚阻害部を覆うように設けたが、視覚阻害部の表面に直接、ハードコートなどのコーティングをして強度を持たせることも可能である。
【００４４】
本考案に係る眼部装着器具は、被疑者や有事のなど際に自らの管理下におく必要のある者などを連行する際だけでなく、拘留する際に用いることも可能である。
【符号の説明】
【００４５】
１００、１００ａ、１００ｂ  眼部装着器具、
１０、１０ｂ  装着部、
１１、１１ｂ  フレーム、
１２  連結部、
１３  バンド、
１４  接触部、
１５、１５ｂ  窪み部、
１６  テンプル、
２０、２０ａ、２０ｂ、２０ｃ  視覚阻害部、
２１、２１ｂ、２１ｃ  基材、
２２、２２ｂ  レンズ、
３０、３０ｂ、３０ｃ  保護部、
Ｅ  眼部、
Ｘ  貫通穴、
Ｙ  貫通穴。
【図１】
0003196729.tif 000003
【図２】
0003196729.tif 000004
【図３】
0003196729.tif 000005
【図４】
0003196729.tif 000006
【図５】
0003196729.tif 000007
【図６】
0003196729.tif 000008
【図７】
0003196729.tif 000009
【図８】
0003196729.tif 000010
【図９】
0003196729.tif 000011
【図１０】
0003196729.tif 000012
【図１１】
0003196729.tif 000013
【図１２】
0003196729.tif 000014
【手続補正書】
【提出日】平成27年1月23日(2015.1.23)
【手続補正１】
【補正対象書類名】実用新案登録請求の範囲
【補正対象項目名】全文
【補正方法】変更
【補正の内容】
【実用新案登録請求の範囲】
【請求項１】
眼部に装着させる装着部と、
前記装着部に取り付けられるとともに、前記眼部の前方に配置され、基材に複数のレンズが張り付けられ、装着しない状態において視界に形成される像を、装着した状態においては複数形成した状態に変化させることによって、視界に形成される像を変化させて、視覚による認知を阻害する視覚阻害部と、
前記装着部に取り付けられ、前記眼部を保護する保護部と、を有する、眼部装着器具。
【請求項２】
眼部に装着させる装着部と、
前記装着部に取り付けられるとともに、前記眼部の前方に配置され、１枚のレンズから構成され、前記レンズの表面を粗くすることによって光を散乱する機能を付与することによって、視界に形成される像を変化させて、視覚による認知を阻害する視覚阻害部と、
前記装着部に取り付けられ、前記眼部を保護する保護部と、を有する、眼部装着器具。
【請求項３】
前記視覚阻害部および前記保護部が、透明材料から成る、請求項１または２に記載の眼部装着器具。
【請求項４】
前記保護部は、装着者を基準として前記視覚阻害部よりも遠位側において前記装着部に取り付けられる、請求項１〜３のいずれか１項に記載の眼部装着器具。
【手続補正２】
【補正対象書類名】明細書
【補正対象項目名】０００６
【補正方法】変更
【補正の内容】
【０００６】
上記目的を達成する本考案に係る眼部装着器具は、眼部に装着させる装着部と、前記装着部に取り付けられるとともに、前記眼部の前方に配置され、基材に複数のレンズが張り付けられ、装着しない状態において視界に形成される像を、装着した状態においては複数形成した状態に変化させることによって、視界に形成される像を変化させて、視覚による認知を阻害する視覚阻害部と、前記装着部に取り付けられ、前記眼部を保護する保護部と、を有する。
また、上記目的を達成する本考案に係る他の眼部装着器具は、眼部に装着させる装着部と、装着部に取り付けられるとともに、眼部の前方に配置され、１枚のレンズから構成され、前記レンズの表面を粗くすることによって光を散乱する機能を付与することによって、視界に形成される像を変化させて、視覚による認知を阻害する視覚阻害部と、前記装着部に取り付けられ、前記眼部を保護する保護部と、を有する。
【手続補正３】
【補正対象書類名】明細書
【補正対象項目名】０００７
【補正方法】変更
【補正の内容】
【０００７】
本考案に係る眼部装着器具によれば、複数のレンズを有する視覚阻害部によって、装着しない状態において視界に形成される像を、装着した状態においては複数形成した状態に変化させることによって、装着者の視覚による認知を阻害するため、逃走などの防止に寄与することができる。加えて、本考案に係る眼部装着器具は、保護部によって、装着者の眼部を保護するため、眼部における装着者の負傷を防ぐことができる。
また、本考案に係る他の眼部装着器具によれば、光を散乱する機能を付与したレンズを有する視覚阻害部によって、視界に形成される像を変化させ、装着者の視覚による認知を阻害するため、逃走などの防止に寄与することができる。加えて、本考案に係る眼部装着器具は、保護部によって、装着者の眼部を保護するため、眼部における装着者の負傷を防ぐことができる。